(57)【要約】      （修正有）【課題】障子の下框垂下片を嵌入する細い条状のスライド溝を形成した下枠上面略フラット構造の障子下框構造において、下框ガラス装着溝に浸入した水を室外側へ排水する排水部の意匠性が高く風のふき込みを防止した障子下框の排水構造を提供する。【解決手段】建築物の屋外開口部に備えられた引き違い障子または片引き戸からなるサッシの下枠上面を略フラットに形成するとともに、この下枠上面に細い条状のスライド溝を備え、障子下框室外側より垂下させた垂下片を上記スライド溝に嵌入させた障子の下框構造において、下框内の戸車取り付け空間とガラス装着溝部分間に中空部６１ｊを形成するとともに、この中空部の下面部に室外側に排水するための下面部排水孔６１ｋを配置できるように下框室外側側部に凹部６１ｈを形成し、この中空部の上面部にガラス装着溝からの排水のための上面部排水孔６１ｏを設け、この中空部の上面部排水孔６１ｋと下面部排水孔６１ｏを相互に位置をずらして配置した。【選択図】  図４
2004293222.tif 000002
【特許請求の範囲】
【請求項１】
建築物の屋外開口部に備えられた引き違い障子または片引き戸からなるサッシの下枠上面を略フラットに形成するとともに、この下枠上面に細い条状のスライド溝を備え、障子下框室外側より垂下させた垂下片を上記スライド溝に嵌入させた障子の下框構造において、下框内の戸車取り付け空間とガラス装着溝部分間に中空部を形成するとともに、この中空部の下面部に室外側に排水するための下面部排水孔を配置できるように下框室外側側部に凹部を形成し、この中空部の上面部にガラス装着溝からの排水のための上面部排水孔を設け、この中空部の上面部排水孔と下面部排水孔を相互に位置をずらして配置したことを特徴とする障子の下框排水構造。
【発明の詳細な説明】
【０００１】
【発明の属する技術分野】
本発明は、住宅等の建築物の屋外開口部に備えられる障子戸の下框部の構造に関し、下枠上面を略フラットに形成した場合に、下框ガラス溝に浸入した雨水の排水性及び外観意匠性に優れた下框構造に係る。
【０００２】
【従来の技術】
本出願人は、下枠上面を略フラットに形成し、下枠上面に細い条状のスライド溝を設け、このスライド溝に障子下框から垂下させた垂下片を嵌入させたバリアフリータイプのサッシ構造を検討した。
下框垂下片を下框の室内側に設けると、障子下框の底部と下枠の間の隙間が外部側に生じることから、見映え状、あるいは防犯上の観点から垂下片を室外側に設けることを検討した（特開２００２−２１３１５４号公報）。
しかし、垂下片を室外側に設けるとガラス装着溝から室内側に雨水が浸入する恐れがあった。
【０００３】
この理由を図５に基づいて説明する。
障子を下框、上框、左右の縦框にて略方形の枠を形成し、この枠内にガラスを嵌め込んだ場合に、下框等の枠に設けたガラス装着溝とガラスの間は、ゴム材等のパッキン部材を介してシールされている。
しかし、風圧等にてガラスが室内側に押圧されると、室内側のパッキン部材が強く押されることにより、逆にガラスの室外側と下框のガラス装着溝の間のシール性が弱くなり、この部分から雨水が浸入しやすくなる。
そして、ガラス装着溝に浸入した雨水が、下框に明けられている戸車取付用等の加工穴等から下枠上面に流れ込んでくることになる。
従来は、下枠が突条レールになっていたので、レール間の溝部に雨水を流し込めば良かったが、本願のように下枠上面をフラットに形成すると、この雨水が室内側に流れ込む恐れがより高くなる。
そこで図６に示すようにガラス装着溝と戸車の装着部の間の室外側に排水孔を設けて直接雨水を排水することが考えられるが、アルミ押出形材にこのような穴加工をするとアルマイト皮膜や電着塗装において穴内部まで電流が流れ込まないために着色されず外部から、この未着色部分が見えて外観見映えが悪くなる問題が生じた。
また、この排水孔に風がふき込むとパッキン部材が押し上げられ、雨水が室内側に浸入する恐れも生じた。
【０００４】
【特許文献１】
特開２００２−２１３１５４号公報
【０００５】
【発明が解決しようとする課題】
本発明は、上記のような事情を鑑みて、障子の下框垂下片を嵌入する細い条状のスライド溝を形成した下枠上面略フラット構造の障子下框構造において、下框ガラス装着溝に浸入した水を室外側へ排水する排水部の意匠性が高く風のふき込みを防止した障子下框の排水構造を提供することを目的とする。
【０００６】
【課題を解決するための手段】
本発明は、上記目的を達成するために、建築物の屋外開口部に備えられた引き違い障子または片引き戸からなるサッシの下枠上面を略フラットに形成するとともに、この下枠上面に細い条状のスライド溝を備え、障子下框室外側より垂下させた垂下片を上記スライド溝に嵌入させた障子の下框構造において、下框内の戸車取り付け空間とガラス装着溝部分間に中空部を形成するとともに、この中空部の下面部に室外側に排水するための下面部排水孔を配置できるように下框室外側側部に凹部を形成し、この中空部の上面部にガラス装着溝からの排水のための上面部排水孔を設け、この中空部の上面部排水孔と下面部排水孔を相互に位置をずらして配置した。
【０００７】
このように、ガラス装着溝から浸入した水を排水する排水孔を、下框室外側側面を凹ませて下向きに形成することにより、外部からは、この排水孔が見え難くなり、仮に電着塗装にて穴付近が着色されなくても見映え上は問題がなくなる。
また、戸車等の取り付け空間とガラス装着溝との間に中空部からなる空間部を形成し、この中空部の上面部排水孔と下面部排水孔が相互に位置をずらして配置されているので、下面部排水孔に風がふき込んでも、この中空部で弱められ、ガラス装着部のパッキン部材を押し上げることが無くなる。
なお、中空部の下面部の排水孔としたのは、必ずしも中空部の下面が水平状の底部に形成されている必要はなく、屋外側より見え難い程に屋外側の側面に傾斜を設けて、この傾斜部に排水孔を設けてもよい趣旨である。
また、上面部排水孔と下面部排水孔を相互に位置をずらしてとは、この孔の位置をずらすことで風の勢いを弱めるのが目的である趣旨を意味し、孔のずらす方向は面内方向又は面外方向のどちらでもよく、孔の数は限定されない。
従って、複数の孔をチドリ状に設けても上面部と下面部に位置をずらして１個ずつ孔をあけてもよい。
【０００８】
【発明の実施の形態】
本発明に係るサッシ構造の縦断面図を図１に示し、その横断面図を図２に示す。
また、下枠部分の拡大図を図３に示す。
建築物の躯体開口部に下枠１０、上枠２０及び室内から室外側に向かって右縦枠３０、左縦枠４０にて略方形の枠体を形成し、その開口部に室外側から順に、網戸７０、外障子５０、内障子６０がスライド開閉可能に取り付けられている。
なお、網戸は必要に応じて取り付けられるものである。
また、図に示した引き違い障子の場合には、外障子と内障子の２枚戸であるが、本発明は４枚戸等の引き違い障子や片引き戸等にも適用される。
【０００９】
上枠２０は、強度が確保しやすいアルミ押出材等の金属製からなる上枠ベース部材２０ａと２０ｃを樹脂材等の断熱部材２０ｄで連結し、断熱と意匠性を考慮して上枠室内部材２０ｂをその室内側に配設した構造になっている。
【００１０】
右縦枠３０及び左縦枠４０は、それぞれ金属製の縦枠ベース部材３０ａ、４０ａ、の室内側に樹脂製等の縦枠室内部材３０ｂ、４０ｂを連結した断熱構造になっている。
【００１１】
図３の拡大図に基づいて下枠構造を説明する。
下枠１０の下枠ベース部は、室外側下枠ベース部材１１と室内側下枠ベース部材１２を断熱部材１６にて躯体取付け面１ａの上部にて連結して形成されている。
また、室外側下枠ベース部材１１及び室内側下枠ベース部材１２は個別に各種固定金具で躯体取付け部１に取付固定されている。
下枠ベース部材には、外障子５０の戸車５１ｃ及び内障子６０の戸車６１ｃが走行する小さな条状突起からなる擬似レール１９ａ、１９ｂが形成されている。
この擬似レール部分とは独立して分離出来るように、上面部材１５が下枠ベース部に着脱自在に取り付けられている。
下枠上面は、通常その上を通過する際に躓きや嵌り込みの原因となる凹凸のない略フラットに形成されている。
【００１２】
図３及び図４にて障子下框の排水構造について説明する。
図４は、内障子下框６１の室内側に設けたスリット状の排水凹部６１ｈの断面拡大図である。
戸車６１ｃは筺体６１ｍに収められ、戸車取り付け空間６１ｐ内に設けられている。
ガラス６５は、ガラス装着溝６１ｎにパッキン部材６６を介して装着されている。
下框内の戸車取り付け空間６１ｐ内とガラス装着溝６１ｎ部分間には中空部６１ｊが形成されている。
中空部６１ｊ下方の下框室外側側部６１ｇは室内側に凹み、スリット状の排水凹部６１ｈが形成されている。
中空部６１ｊの下面部６１ｉには室外側に排水するための下面部排水孔６１ｋが排水凹部６１ｈに向けて設けられ、中空部６１ｊの上面部６１ｑにはガラス装着溝６１ｎからの排水のための上面部排水孔６１ｏが設けられている。
上面部排水孔６１ｏと下面部排水孔はチドリ状に配置されている。
【００１３】
風圧などでガラス６５が室内側に押圧され、ガラス６５とパッキン部材６６のシール性が弱くなり、この部分から雨水が浸入した場合、雨水はガラス装着溝６１ｎから上面部排水孔６１ｏを通り、中空部６１ｊを経由して、下面部排水孔より排水される。
上面部排水孔６１ｏと下面部排水孔６１ｋは、チドリ状に配置され、下面部排水孔に風がふき込んでも、この中空部６１ｊで弱められるためにガラス装着溝のパッキン部材を押し上げることは無い。
上面部排水孔と下面部排水孔の数は限定されず、例えば１個ずつ面内方向又は面外方向に相互に位置をずらして設けてもよい。
【００１４】
下面部排水孔６１ｋは中空部６１ｊの下面部６１ｉにスリット状の排水凹部６１ｈに向かって下向きに設けられているため、下面部排水孔６１ｋは見え難い構造となっている。
このため、下面部排水孔６１ｋ部分が電着塗装にて着色されなくても、見映え上は問題がない。
また、下面部排水孔６１ｋ内も外部からは見通し難い構造であるため、中空部６１ｊ内に塗装を施す必要はなく、コスト低減の効果がある。
図３においては、内障子下框と外障子下框は同じ構造であるため、外障子下框についての説明は省略する。
なお、中空部の下面部の排水孔は、必ずしも中空部の水平状の底部に形成されている必要はなく、屋外側より見え難い程に屋外側の側面に傾斜を設けて、この傾斜部に排水孔を設けてもよい。
【００１５】
外障子は、外障子下框５１、外障子上框５２、及び外障子戸当り框５３と外障子召合框５４にて略方形の枠を形成し、内側にガラス５５等が装着されている。
なお、図１、図２に示す例では、二重のペアガラスタイプになっている。
また、上記下框、上框、戸当り框は、それぞれ金属製のベース部材５１ａ、５２ａ、５３ａの室内側に樹脂材等の断熱部材からなる室内部材５１ｂ、５２ｂ、５３ｂが連結されたクラッドサッシ構造となっている。
【００１６】
外障子下框構造を図３にて説明する。
外障子の下框５１の室外側よりから外障子下框垂下片５１ｅが垂下され、下枠上面に細い条状に形成した外障子用スライド溝１３ａに嵌入するようになっている。
外障子下框垂下片５１ｅの室内側には、タイト材５１ｆが取り付けられ、下枠のスライド溝側壁（下枠凹部）との間をシールする。
外障子下框の底部と下枠上面との間にタイト材を取り付けてもよい。
外障子下框底部には戸車５１ｃが取り付けられ、戸車のタイヤの外周中央部は凹部形状５１ｄになっていて、擬似レール１９ａと当接回転するようになっている。
【００１７】
内障子６０は、内障子下框６１、上框６２、戸当り框６３、召合框６４で略方形の枠を形成され、ガラス６５等が取り付けられている。
なお、図１、図２に示す例では、二重のペアガラスタイプになっている。
また、上記下框、上框、戸当り框、召合框は、それぞれ金属製のベース部材６１ａ、６２ａ、６３ａ、６４ａの室内側に樹脂材等の断熱部材からなる室内部材６１ｂ、６２ｂ、６３ｂ、６４ｂが連結されたクラッドサッシ構造となっている。
【００１８】
内障子の下框６１の室外側よりから内障子下框垂下片６１ｅが垂下され、下枠上面に細い条状に形成した内障子用スライド溝１３ｂに嵌入するようになっている。
本実施の形態においては、外障子下框の垂下片が室外側よりから垂下され、内障子も内障子下框の室外側よりから垂下片を垂下させた構造になっている。
内障子下框垂下片６１ｅの室内側にはタイト材６１ｆが取り付けられ、下枠のスライド溝側壁（下枠凹部）との間をシールする。
内障子下框底部には戸車６１ｃが取り付けられ、戸車のタイヤの外周中央部は凹部形状６１ｄになっていて、擬似レール１９ｂと当接回転するようになっている。
【００１９】
外障子５０には取っ手１２１が、内障子６０には取っ手１２２が設けられている。
外障子５０の取っ手１２１は、外障子５０の開放を使用者がスムーズに行えるようにする他に、その柄部１２１ａが外障子５０の全開放時に内障子召合框６４に当接し、開放規制するストッパ機能も有している。
内障子６０には、戸当框６３の取っ手１２２に対向する位置にストッパ部材１２２ａが設けられ、内障子６０全開放時にストッパ部材１２２ａが外障子召合框５４に当接し、開放規制する。
このように、障子の開放規制のためのストッパを下枠部分には設けておらず、下枠の略フラット構造はストッパの突起を設けることなく、良好に実現されている。
【００２０】
網戸７０は、下框７１、上框７２、左右の縦框７３、７４にて略方形の枠を形成し、枠内に網７５が張設されている。
網戸の下框には室内側よりから垂下片が垂下され、下枠のスライド溝に嵌入し、この垂下片と下枠のスライド溝にて虫押えラインを形成している。
【００２１】
【発明の効果】
本発明においては、下框内の戸車取り付け空間とガラス装着溝部分間に中空部を形成し、この中空部の下面部にガラス装着溝から浸入した水を排水するための下面部排水孔を配置するための凹部を、下框室外側側部に形成した。
これにより、垂下片を室外側に設けた場合であっても、ガラス装着溝へ浸入した水を室外側へ排水し、外部からは、この排水孔は見え難く形成されているため下面部排水孔付近及び中空部内が電着塗装にて着色されなくても見映え上問題がなく、コスト低減の効果がある。
また、この中空部の上面部排水孔と下面部排水孔を相互に位置をずらして配置したため下面部排水孔に風がふき込んでも中空部で弱められるため、ガラス装着溝のパッキン部材を押し上げることはない。
【図面の簡単な説明】
【図１】本発明に係るサッシ構造の縦断面図を示す。
【図２】本発明に係るサッシ構造の横断面図を示す。
【図３】下枠付近の拡大図を示す。
【図４】排水孔付近の拡大図を示す。
【図５】従来の下框における雨水の浸入経路を示す。
【図６】下框室外側側面に排水孔を設けた例を示す。
【符号の説明】
１      躯体取付け部
１ａ    躯体取付け面
１０    下枠
１１    室外側下枠ベース部材
１２    室内側下枠ベース部材
１３ａ  外障子用スライド溝
１３ｂ  内障子用スライド溝
１４ａ  外障子用下枠凹部
１４ｂ  内障子用下枠凹部
１５、  上面部材
１５ｃ、１５ｄ  断熱部材
１６    断熱部材
１８    下枠排水穴
１８ａ  逆止弁
１９ａ、１９ｂ  擬似レール
２０    上枠
２０ａ、２０ｃ  上枠ベース部材
２０ｂ  上枠室内部材
２０ｄ  断熱部材
３０    右縦枠
３０ａ  右縦枠ベース部材
３０ｂ  右縦枠室内部材
４０    左縦枠
４０ａ  左縦枠ベース部材
４０ｂ  左縦枠室内部材
５０    外障子
５１    外障子下框
５１ａ  外障子下框ベース部材
５１ｂ  外障子下框断熱室内部材
５１ｃ  外障子戸車
５１ｄ  外障子戸車凹部
５１ｅ  外障子下框垂下片
５１ｆ  外障子下框タイト材
６０    内障子
６１    内障子下框
６１ａ  内障子下框ベース部材
６１ｂ  内障子下框断熱室内部材
６１ｃ  内障子戸車
６１ｄ  内障子戸車凹部
６１ｅ  内障子下框垂下片
６１ｆ  内障子下框タイト材
６１ｇ  内障子下框側面
６１ｈ  内障子下框スリット状凹部
６１ｉ  内障子下框中空部下面部
６１ｊ  内障子下框中空部
６１ｋ  内障子下框中空部下面部排水孔
６１ｍ  内障子戸車筺体
６１ｎ  内障子下框ガラス装着溝
６１ｏ  内障子下框中空部上面部排水孔
６１ｐ  内障子戸車取り付け空間
６１ｑ  内障子下框中空部上面部
６５    ガラス
６６    パッキン部材
【図１】
2004293222.tif 000003
【図２】
2004293222.tif 000004
【図３】
2004293222.tif 000005
【図４】
2004293222.tif 000006
【図５】
2004293222.tif 000007
【図６】
2004293222.tif 000008